(57)【要約】【課題】この発明は、軽量で、かつ光照射が前面で均一になるような、蛍光灯の反射材支持構造を提供することを目的とする。【解決手段】この発明の照明装置は、複数の蛍光灯の背面に反射材を設けた照明装置において、断面が略三角形状の長尺アングルを、該長尺アングルの断面の頂点が上記蛍光灯長手方向の後方に対向するように配置し、該長尺アングル間に反射材を張り巡らせる。さらに、上記反射材が、微細気泡を含有する熱可塑性ポリエステル発泡体からなり、また前記反射材が、前記長尺アングル間に弛ませて張られており、該反射材の断面が略放物線状の曲面となっている。また、前記蛍光灯が蛍光管の中間部分で保持され、前記照明装置が、水耕栽培用の照明装置である。【選択図】　　　図１
2004135613.tif 000002
【特許請求の範囲】
【請求項１】
複数の蛍光灯の背面に反射材を設けた照明装置において、
断面が略三角形状の長尺アングルを、該長尺アングルの断面の頂点が上記蛍光灯長手方向の後方に対向するように配置し、該長尺アングル間に反射材を張り巡らせたことを特徴とする照明装置。
【請求項２】
前記反射材が、平均気泡径５０μｍ以下の微細気泡を含有する熱可塑性ポリエステル発泡体からなることを特徴とする前記請求項１記載の照明装置。
【請求項３】
前記反射材が、前記長尺アングル間に弛ませて張られており、該反射材の断面が略放物線状の曲面となっていることを特徴とする前記請求項１または２記載の照明装置。
【請求項４】
前記蛍光灯が蛍光管の中間部分で保持され、蛍光灯端部の電極及び電源線が直接支持部材に接していないことを特徴とする前記請求項１〜３の内、いずれか１項記載の照明装置。
【請求項５】
前記照明装置が、水耕栽培用の照明装置であることを特徴とする前記請求項１〜４の内、いずれか１項に記載の照明装置。
【発明の詳細な説明】
【０００１】
【発明の属する技術分野】
この発明は、複数の蛍光灯の背面に反射材を設けた照明装置、特に人工光源により、野菜類や花、草等を水耕栽培する植物栽培装置に用いるのに適した照明装置に関する。
【０００２】
【従来の技術】
従来、複数の蛍光灯の背面に反射材を設けた照明装置は、特開２０００−５６７１５号公報に示されるような内照式電飾看板等に用いられている。この内照式電飾看板において、国際公開公報ＷＯ９７／０１１１７号に示されるような、平均気泡径５０μｍ以下の微細気泡を含有する熱可塑性ポリエステル発泡体からなる反射材が用いられ、照明が均一になるように工夫されている。熱可塑性ポリエステル発泡体は、アルミ等の金属製反射板に比較し、非常に軽量である特性を有する。
【０００３】
このような内照式電飾看板等において、表面は透明な散乱板等を設けているが、内部からの照明が均一でないと外部から見て照明にムラが生じてしまい、看板全体が均一に光らないので好ましくない。特に、蛍光灯の部分とその間隙の反射材のみの部分との明暗が問題となる。
【０００４】
従来の照明装置の反射構造は、図８，図９に上記従来の反射材を設けた照明装置の構造をします。図８は反射材の構造であり、図９は、これを用いた上記従来の照明装置の断面構造図を示す。図８，図９に示す如く、蛍光灯と蛍光灯の間に反射材の角部２１がくる構造であり、蛍光灯の裏部２２は平坦となっている。しかも、上記角部と平坦部との間の傾斜部２５の角度は小さい。すなわち、平坦部２２及び傾斜部２５の反射光は、蛍光灯２３の前面に集中する反射構造になっている。これを内照式電飾看板に用いた場合、拡散キャップ２６や乳半アクリル板からなる拡散板２４が設けられてはいるが、蛍光灯の正面部分は明るく、蛍光灯と蛍光灯の間は暗くなって、該拡散板上では照明光のムラができてしまう。
【０００５】
また、従来、天然土壌と太陽光線を利用しないで植物を生育させる水耕栽培装置は数々知られている。
例えば、特開平１１−１５５３７３号公報は、同じ出願人の提案した植物栽培装置に関するものである。上記した従来の発明は、水耕栽培の光源として蛍光灯を使用し、必要に応じて栽培室内の雰囲気を、炭酸ガスの濃度を５００ｐｐｍ以上、好ましくは１，０００　〜５，０００ｐｐｍに維持するようにしたものである。この栽培装置は、空調された建屋内に設置される大規模水耕栽培装置であって、その栽培室内部は四方を反射材で覆って、光照射効率を上げている。従って、蛍光灯の背後も反射材を設けて光照射の効率を良くしているが、上記栽培装置は空間効率や光照射効率を考えると、なるべく照明装置が育成植物に接近することが望ましい。しかし、あまり接近しすぎると葉の表面が焼けるチップ・バーン減少が起きてしまい、商品価値が失われてしまう。
【０００６】
従って、光照射にムラがあると、その強い照射の部分でチップ・バーンが起きてしまうので、蛍光灯前面の光照射はなるべく均一であることが望ましい。
また、上記水耕栽培装置は、高さ１０ｍ位の建屋内に数段の高さで積み上げられる大がかりなものであるので、照明装置はなるべく軽量のものが望ましい。さらには、数段積み上げられた水耕装置の内、上段の装置から水漏れ等が生じた時、下段の装置に水がかかることもあり、各装置の電源線やコネクタの部分は装置の支持部材から直接水が伝わらない構造が望ましい。
【０００７】
【特許文献１】
特開２０００−５６７１５号公報
【特許文献２】
国際公開公報ＷＯ９７／０１１１７号
【特許文献３】
特開平１１−１５５３７３号公報
【０００８】
【発明が解決しようとする課題】
この発明は、上記照明装置の課題を解決するものであって、軽量で、かつ光照射が前面で均一になるような、蛍光灯の反射材支持構造を提供することを目的とする。
【０００９】
【課題を解決するための手段】
上記課題を解決するために、この発明の照明装置は、複数の蛍光灯の背面に反射材を設けた照明装置において、断面が略三角形状の長尺アングルを、該長尺アングルの断面の頂点が上記蛍光灯長手方向の後方に対向するように配置し、該長尺アングル間に反射材を張り巡らせたことを特徴とする。
【００１０】
さらに、上記反射材が、平均気泡径５０μｍ以下の微細気泡を含有する熱可塑性ポリエステル発泡体からなり、あるいは、前記反射材が、前記長尺アングル間に弛ませて張られており、該反射材の断面が略放物線状の曲面となっていることを特徴とする。
【００１１】
また、前記蛍光灯が蛍光管の中間部分で保持され、蛍光灯端部の電極及び電源線が直接支持部材に接していないことを特徴とする。
また、前記照明装置が、水耕栽培用の照明装置であることを特徴とする。
【００１２】
【発明の実施の形態】
以下に本発明を図面の実施例に基づいて詳細に説明する。
図１，図２に、本発明の照明装置の部分分解斜視図を示す。なお、図２は、反射材を取り付ける前の状態を示す。図１，図２において、蛍光灯１は、断面が略三角形状の長尺アングル２によって支持されており、該蛍光灯の支持構造は該長尺アングルの取り付けられた基台４から延伸する蛍光灯支持部材５に嵌挿されて支持される。該支持部材４，５は、上記長尺アングルの断面の頂点が上記蛍光灯長手方向の後方に対向するように配置されており、該長尺アングル間には反射材３が張られている。
【００１３】
該反射材３は、前記長尺アングル間に適度に弛ませて張られており、該反射材の断面は略放物線状の曲面となっている。図３に、該反射材の取り付け断面図を示す。図３に示される如く、各反射材３は、長尺アングル２に端面をボルト７等によって固着される。長尺アングル２は、図２，図４に示される如く、支柱６，６‘に固定されており、前記蛍光灯１を各長尺アングル上の取り付け部材５に嵌挿支持することによって、全体として照明装置の基本構造ができあがる。上から見た全体構造の骨組みが、図５に示される。なお、図４，図５は、反射材３は、図４においては右側、図５においては下側のみに張られており、蛍光灯１は図４，図５において一本だけ取り付けられているといったように、部分取り付け状態を示す。
【００１４】
反射材は、アルミ箔等を貼り付けた板材でもよいが、ここでは平均気泡径５０μｍ以下の微細気泡を含有する熱可塑性ポリエステル発泡体が推奨される。該ポリエステル発泡体は、詳細は国際公開公報ＷＯ９７／０１１１７号に示されており、軽量で反射効率がよく、発泡体自体で反射するので、張り合わせ積層構造を必要としない。
【００１５】
この発明の反射構造を有する照明装置は、図６に示すように、照明装置の正面方向の光照射が均一になる。すなわち、図６において、蛍光灯１からの直接光は蛍光灯前面の直下で最大となるが、反射材による反射光は、前記の如くアングル間に適宜弛ませた反射材３により、上記蛍光灯と蛍光灯の間の箇所に集光しやすくなり、前記直接光と加算された照明装置前面における光照射は、従来より均一になる。
【００１６】
以上のことを、従来の照明装置と比較すると、以下のとおりである。
前述の如く、従来の照明装置の反射構造は、図９に示す如く、蛍光灯と蛍光灯の間に反射材の角部２１がくる構造であり、蛍光灯の正面部分は明るく、蛍光灯と蛍光灯の間は暗くなって、蛍光灯前面での照明光にムラができてしまい、光照射が均一でない。
【００１７】
特に、水耕栽培の照明装置に用いる場合は、照明効率の点から上記拡散キャップや拡散板２４は設けられていない。このことは、図６に示されるように、植物が成長して蛍光灯の前面に伸びてきた場合に問題となる。すなわち、蛍光灯１と植物の先端はなるべく近い方が光照射効率がよいが、部分的にチップ・バーンを起こすとその箇所でのチップ・バーンを起こさない最短距離が蛍光灯と植物の接近し得る最短距離となってしまうので、光照射の一番強いところをチップバーンを起こさない植物の成長後の先端位置になるように空間配置をする必要がある。従って、照明光は照明装置の前面でムラがなく均一になるのが、上記植物との距離を最短に空間配置できるので光照射の効率が最大となる。
【００１８】
この発明の反射構造は、この均一な照明光を実現するのに最適である。
一方、内照式電飾看板においても、照明装置の前面での照射光が均一になれば、ムラがあったときに比較し、きれいで見やすく、商品価値が上がる。この均一な照明光は、他の照明装置にも用いられ、その用途は広い。
【００１９】
次に、この発明の照明装置においては、特に水耕栽培装置に用いられる場合のように水を使い、漏水により蛍光灯の電源部分に水がかかって漏電を起こす危険を防止するため、前記蛍光灯の支持構造が工夫されている。すなわち、図１，図２に示される如く、前記蛍光灯が蛍光管の中間部分５で保持され、蛍光灯端部１０及び電極１１や電源線が直接支持部材に接していない。また、通常の蛍光灯照明のように、電極部分１０は、何らの支持構造を持たない。このようにすることにより、水耕栽培装置においては図６のように図１，図２の構造を上下逆にして水耕栽培装置内の天井につるす構造であるが、仮にアングル４等から漏水が伝わってきても、電極部分１１は宙に浮いている構造なので、該漏水は支持部分５から真下に落ちていく。すなわち、支持部分５から電極１１の間は距離があるので、漏電の危険性が小さくなる。
【００２０】
【発明の効果】
以上、この発明の照明装置は、複数の蛍光灯の背面に反射材を設けた照明装置において、断面が略三角形状の長尺アングルを、該長尺アングルの断面の頂点が上記蛍光灯長手方向の後方に対向するように配置し、該長尺アングル間に反射材を張り巡らせたことにより、さらには前記反射材が前記長尺アングル間に弛ませて張られており、該反射材の断面が略放物線状の曲面となっていることにより、照明装置前面の照明光を均一にする効果がある。
【００２１】
また、上記反射材として平均気泡径５０μｍ以下の微細気泡を含有する熱可塑性ポリエステル発泡体を用いることにより、非常に軽量であり、水耕栽培装置のような多数の照明装置を複数段積み重ねて用いる場合の建築構造を軽量にすることができる。また、前記蛍光灯が蛍光管の中間部分で保持され、蛍光灯端部の電極及び電源線が直接支持部材に接していないことにより、万一漏水灯の事故の際も電極に水が掛かる危険も少なく、安全である。
【図面の簡単な説明】
【図１】この発明の照明装置の全体斜視図を示すものである。
【図２】この発明の照明装置の他の角度から見た部分分解構造図を示すものである。
【図３】この発明の照明装置の断面構造図を示すものである。
【図４】この発明の照明装置の骨組みの上面図を示すものである。
【図５】上記骨組への蛍光灯の取り付け状態を示す図である。
【図６】この発明の照明装置の光照射の説明図を示すものである。
【図７】この発明の照明装置の蛍光灯の支持構造図を示すものである。
【図８】従来の反射材の構造図を示す。
【図９】従来の照明装置の構造図を示す。
【符号の説明】
１　　　蛍光灯
２　　　アングル
３　　　反射材
４，５　　　支持部材
６　　　支材
【図１】
2004135613.tif 000003
【図２】
2004135613.tif 000004
【図３】
2004135613.tif 000005
【図４】
2004135613.tif 000006
【図５】
2004135613.tif 000007
【図６】
2004135613.tif 000008
【図７】
2004135613.tif 000009
【図８】
2004135613.tif 000010
【図９】
2004135613.tif 000011